(57)【要約】【課題】  リソースの確認の対象となる基地局に人間が行かずに、基地局のリソースが足りているか否か確認することを可能にする。【解決手段】  トラフィック監視部４が、基地局２−１〜２−ｎが処理しているトラフィック量を通信回線と無線ネットワーク制御局３を介して検出して、基地局２−１〜２−ｎのうちのいずれかの基地局のトラフィック量が予め決められた閾値を超えたか否か判断する。指示制御部５は、トラフィック監視部４が、いずれかの基地局のトラフィック量が閾値を超えたと判断すると、その基地局が故障しているか否か判断する。指示制御部５は、その基地局が故障していないと判断すると、その基地局へのリソースの追加を決定する。対応表示部６の表示部は、指示制御部５がリソースを追加すると決定すると、その基地局のリソースを追加する旨を表示する。【選択図】  図１
2005236379.tif 000002
【特許請求の範囲】
【請求項１】
複数の無線基地局のトラフィック量の閾値を予め記憶し、前記無線基地局のトラフィック量を検出して、前記無線基地局のトラフィック量が前記トラフィック量の閾値を超えているか否かを判断するトラフィック監視装置と、
前記トラフィック監視装置が、前記無線基地局のトラフィック量が前記閾値を超えていると判断した場合に、前記無線基地局に対してリソースを追加する指示を出力する指示制御装置と、
前記指示制御装置が出力した指示を表示する表示手段を含む対応表示装置と
を備えたことを特徴とする基地局リソース追加システム。
【請求項２】
指示制御装置は、無線基地局のトラフィック量が閾値を超えていると判断した場合に、無線基地局が故障しているか否か判断し、前記無線基地局が故障していないと判断したときに、リソースを追加する指示を出力する
請求項１記載の基地局リソース追加システム。
【請求項３】
指示制御装置は、無線基地局が故障していると判断したときに、故障対応の指示を出力し、
対応表示装置は、前記指示制御装置が出力した故障対応の指示を表示手段に表示する
請求項２記載の基地局リソース追加システム。
【請求項４】
トラフィック監視装置は、無線基地局のリソースが追加されたことが通知されると、追加されたリソースの量に応じて閾値の値を増やす
請求項１から請求項３のうちいずれか１項記載の基地局リソース追加システム。
【請求項５】
複数の無線基地局およびトラフィック監視装置と通信回線を介して接続され、前記無線基地局を制御する無線ネットワーク制御局を備え、
トラフィック監視装置は、前記無線ネットワーク制御局を介して前記無線基地局のトラフィック量を検出する
請求項１から請求項４のうちいずれか１項記載の基地局リソース追加システム。
【請求項６】
トラフィック監視装置は、複数の無線基地局のそれぞれに応じた閾値を記憶する
請求項１から請求項５のうちいずれか１項記載の基地局リソース追加システム。
【発明の詳細な説明】
【技術分野】
【０００１】
本発明は、携帯電話機を用いた移動体通信システムに関し、特に、携帯電話機の基地局で用いられているリソースを追加するための基地局リソース追加システムに関する。
【背景技術】
【０００２】
携帯電話通信網の基地局のリソースが足りているか否か確認するために、携帯電話機を持った人間が実際に基地局（ＢＴＳ（Ｂａｓｅ  Ｔｒａｎｓｃｅｉｖｅｒ  Ｓｔａｔｉｏｎ））が設置されている場所に赴き、携帯電話通信網を用いて基地局と通信を行なう。従って、基地局のリソースが足りているか否か確認するには、時間と費用とがかかる。ここで、基地局のリソースとは、基地局が処理することができる携帯電話機の接続処理能力をいう。
【０００３】
なお、特許文献１には、各基地局のトラフィック量を観測し、通話呼数の少ない基地局の無線電波出力を上げて通話可能エリアを広げ、リソースの有効利用を可能とする移動通信システムが提案されている。
【０００４】
また、特許文献２には、リソースの使用量が少ないとリソースの割り当てを減らし、リソースの使用量が多いとリソースの割り当てを増やす基地局が提案されている。
【０００５】
特許文献３には、リソースの一例として、携帯電話機の情報チャネルの制御を行うチャネル制御カードが記載されている。
【０００６】
【特許文献１】特開平１１−４４７６号公報  （第４−６頁、図１）
【特許文献２】特開２００３−２３５０７１号公報  （第３−５頁、図２）
【特許文献３】特開２００３−２３３８９号公報  （図１、図２）
【０００７】
しかし、特許文献１および特許文献２は、本発明の課題について何ら触れていない。
【発明の開示】
【発明が解決しようとする課題】
【０００８】
上述したように、基地局で用いられているリソースを追加するために、基地局に人間が行き、多数の携帯電話機を用いて同時に基地局と通信を行ない、通話や通信ができる携帯電話機の数でリソースが足りているか否かを確認する。そして、リソースが足りないことを確認すると、基地局にリソースを追加するので、基地局のリソースが足りているか否か確認するには、時間と費用とがかかるという課題がある。
【０００９】
そこで、本発明は、リソースの確認の対象となる基地局に人間が行かずに、基地局のリソースが足りているか否か確認することを可能にする基地局リソース追加システムを提供することを目的とする。
【課題を解決するための手段】
【００１０】
本発明による基地局リソース追加システムは、複数の無線基地局のトラフィック量の閾値を予め記憶し、無線基地局のトラフィック量を検出して、無線基地局のトラフィック量がトラフィック量の閾値を超えているか否かを判断するトラフィック監視装置と、トラフィック監視装置が、無線基地局のトラフィック量が閾値を超えていると判断した場合に、無線基地局に対してリソースを追加する指示を出力する指示制御装置と、指示制御装置が出力した指示を表示する表示手段を含む対応表示装置とを備えたことを特徴とする。
【００１１】
指示制御装置は、無線基地局のトラフィック量が閾値を超えていると判断した場合に、無線基地局が故障しているか否か判断し、無線基地局が故障していないと判断したときに、リソースを追加する指示を出力してもよい。そのような構成によれば、無線基地局が故障していない場合に、リソース追加を迅速に行うことができる。
【００１２】
指示制御装置は、無線基地局が故障していると判断したときに、故障対応の指示を出力してもよく、対応表示装置は、指示制御装置が出力した故障対応の指示を表示手段に表示してもよい。そのような構成によれば、無線基地局が故障していた場合であっても、故障対応を迅速に行うことができる。
【００１３】
トラフィック監視装置は、無線基地局のリソースが追加されたことが通知されると、追加されたリソースの量に応じて閾値の値を増やしてもよい。そのような構成によれば、トラフィック監視装置は、追加されたリソースの量に応じて、トラフィック量が閾値を超えているか否かを判断することができる。
【００１４】
複数の無線基地局およびトラフィック監視装置と通信回線を介して接続され、無線基地局を制御する無線ネットワーク制御局を備えてもよく、トラフィック監視装置は、無線ネットワーク制御局を介して無線基地局のトラフィック量を検出してもよい。
【００１５】
トラフィック監視装置は、複数の無線基地局のそれぞれに応じた閾値を記憶してもよい。そのような構成によれば、トラフィック監視装置は、個々の無線基地局のそれぞれに応じてトラフィック量が閾値を超えたか否かを判断することができる。
【発明の効果】
【００１６】
本発明によれば、リソースの確認の対象となる基地局に人間が行かずにリソースが確認できるので、時間と費用とを節減できる。
【発明を実施するための最良の形態】
【００１７】
本発明の実施の形態について説明する。図１は、本発明の実施の形態の一構成例を示すブロック図である。
【００１８】
図１に示すように、基地局リソース追加システムは、携帯電話機１−１〜１−ｎと無線通信回線を介して接続され、携帯電話機１−１〜１−ｎと情報を送受信する基地局（無線基地局）２−１〜２−ｎ、基地局２−１〜２−ｎと通信回線を介して接続され、各基地局の動作を制御する無線ネットワーク制御局（ＲＮＣ（Ｒａｄｉｏ  Ｎｅｔｗｏｒｋ  Ｃｏｎｔｒｏｌｌｅｒ））３、無線ネットワーク制御局３に接続され、各基地局のトラフィック量を定期的に検出して監視するトラフィック監視部（トラフィック監視装置）４、トラフィック監視部４に接続され、トラフィック監視部４が監視している各基地局のトラフィック量に応じて各基地局に行なう指示を決定する指示制御部（指示制御装置）５、および指示制御部５が決定した指示を受信して表示する表示部（表示手段）（図示せず）を備える対応表示部（対応表示装置）６を含む。対応表示部６は、例えば、保守拠点に設置され、指示制御部５とＬＡＮによって接続される。
【００１９】
トラフィック監視部４は、例えば、各基地局が現在保有しているリソースの量に応じて、予め決められた各基地局のトラフィック量の閾値を記憶している。そして、トラフィック監視部４は、通信回線と無線ネットワーク制御局３とを介して各基地局のトラフィック量を検出して、各基地局のトラフィック量が予め決められた閾値を超えたか否かを判断する。指示制御部５は、トラフィック監視部４が一の基地局のトラフィック量が予め決められた閾値を超えたと判断すると、その基地局が故障しているか否かを判断し、その基地局が故障していないと判断すると、その基地局にリソースを追加することを決定し、対応表示部６の表示部に基地局を特定してリソースの追加の指示を表示させる。保守員は、対応表示部６の表示部にリソースの追加の指示が表示されると、リソースを追加する基地局に行き、基地局のリソースを追加する。ここで、基地局のリソースを追加するとは、例えば、基地局の筐体内にトラフィックを処理する回路基板であるリソースボードを追加することをいう。
【００２０】
また、指示制御部５は、その基地局が故障していると判断すると、その基地局の故障対応を行なうことを決定し、対応表示部６の表示部（図示せず）に基地局を特定して故障対応の指示を表示させる。保守員は、対応表示部６の表示部に故障対応の指示が表示されると、故障対応する基地局に行き、基地局の故障対応を行なう。なお、基地局２−１〜２−ｎは、自局における各構成要素が故障しているか否かを診断し、それぞれの構成要素が故障しているか否かと、故障していた場合には故障個所とを特定する情報である故障情報を生成し、生成した故障情報を通信回線と無線ネットワーク制御局３とトラフィック監視部４を介して指示制御部５に送信する自己診断プログラムを予め記憶している。
【００２１】
次に、本発明の実施の形態の動作について、図面を参照して説明する。図２は、本発明の実施の形態の動作を説明するフローチャートである。
【００２２】
トラフィック監視部４は、通信回線と無線ネットワーク制御局３とを介して基地局２−１〜２−ｎのトラフィック量を定期的に検出することによって、トラフィック量の監視を行ない、トラフィック量が予め決められた各基地局の閾値を超えたか否かを判断する（ステップＳ１０１、Ｓ１０２）。トラフィック監視部４は、トラフィック量が予め決められた各基地局の閾値を超えていない場合、トラフィック量の監視を継続する。なお、トラフィック監視部４がトラフィック量を検出する定期的な間隔は、例えば、各基地局の立地条件等によって予め定められてよく、一日に一度や、一時間に一度等の任意の間隔であってよい。なお、トラフィック量が閾値を超えたということは、基地局のリソースが不足して呼損となっている呼が発生していることを意味する。
【００２３】
指示制御部５は、トラフィック監視部４が、ある基地局（例えば、基地局２−１）のトラフィック量が閾値を超えたと判断すると（ステップＳ１０２）、基地局２−１が故障したか否かを判断する（ステップＳ１０３）。具体的には、指示制御部５は、通信回線と無線ネットワーク制御局３とトラフィック監視部４とを介して基地局２−１に、各構成要素が故障しているか否かを診断する自己診断プログラムの実行を要求する。すると、基地局２−１は、予め記憶している自己診断プログラムを実行して、自己診断プログラムの実行結果にもとづいて、各構成要素が故障しているか否かと、故障していた場合には故障個所とを特定する情報である故障情報を生成し、通信回線と無線ネットワーク制御局３とトラフィック監視部４とを介して指示制御部５に送信する。
【００２４】
指示制御部５は、故障情報を通信回線と無線ネットワーク制御局３とトラフィック監視部４とを介して受信すると、故障情報にもとづいて基地局２−１が故障であるか否かを判断し、基地局２−１が故障であると判断すると、基地局２−１に故障対応を行なうことを決定して、基地局２−１から受信した故障情報を対応表示部６に出力し、基地局２−１が故障であることを通知する（ステップＳ１０４）。
【００２５】
対応表示部６は、表示部（図示せず）に基地局２−１の故障情報を表示させる。基地局２−１の管理者は、対応表示部６の表示部に基地局２−１が故障であることが表示されると、基地局２−１に行って故障対応を行なう（ステップＳ１０５）。
【００２６】
基地局２−１の管理者が基地局２−１の故障対応を行なうと、基地局２−１は、通信回線と無線ネットワーク制御局３とトラフィック監視部４とを介して基地局２−１の故障対応を行なった旨を、指示制御部５に通知し、指示制御部５は、基地局２−１の故障対応が行なわれたことが通知されると、基地局２−１の故障対応が完了し、基地局２−１が正常に動作しているか否かを確認する（ステップＳ１０６）。具体的には、指示制御部５は、通信回線と無線ネットワーク制御局３とトラフィック監視部４とを介して基地局２−１に、各構成要素が故障しているか否かを診断する自己診断プログラムの実行を要求する。すると、基地局２−１は、予め記憶している自己診断プログラムを実行して、自己診断プログラムの実行結果にもとづいて、各構成要素が故障しているか否かと、故障していた場合には故障個所とを特定する故障情報を生成し、通信回線と無線ネットワーク制御局３とトラフィック監視部４とを介して指示制御部５に送信する。また、基地局２−１の表示部（図示せず）に生成した故障情報を表示してもよい。指示制御部５は、基地局２−１が故障していると判断すると、基地局２−１に故障対応を行なうことを決定し、対応表示部６の表示部に基地局２−１の故障対応の指示を表示させる。すると、ステップＳ１０５に戻り、基地局２−１の管理者は、基地局２−１の故障対応を行なう。このように、基地局２−１の管理者は、基地局２−１の故障対応が完了するまで、基地局２−１の故障対応を行なう。指示制御部５が、故障情報にもとづいて基地局２−１が故障していないと判断すると、ステップＳ１０１に戻り、トラフィック監視部４は、通信回線と無線ネットワーク制御局３とを介して基地局２−１〜２−ｎのトラフィック量を定期的に検出する、トラフィック量の監視を行なう。
【００２７】
指示制御部５は、ステップＳ１０３において、基地局２−１が故障していないと判断すると、基地局２−１にリソースを追加すると決定し、対応表示部６に、基地局２−１がリソース不足である旨を通知する（ステップＳ１０７）。なお、ステップＳ１０２の判断において、トラフィック量が閾値を超えた場合が複数回連続して発生したら、ステップＳ１０３の処理に移行するようにしてもよい。そして、指示制御部５は、対応表示部６の表示部に基地局２−１のリソース追加の指示を表示させる。保守員は、対応表示部６の表示部に基地局２−１のリソースの追加の指示が表示されると、基地局２−１に行ってリソースの追加を行なう（ステップＳ１０８）。対応表示部６は、基地局２−１のリソースの追加を行なうと、基地局２−１にリソース追加を行なった旨を、通信回線と無線ネットワーク制御部３とを介してトラフィック監視部４に通知する。すると、トラフィック監視部４は、基地局２−１の管理者が追加したリソースの量に応じて、基地局２−１のトラフィック量の閾値を増加させる。
【００２８】
図３は、基地局におけるリソースおよび構成要素の一例を説明するためのブロック図である。図３に示す例では、基地局に、アンテナ３１を介して携帯電話機との間で無線周波数信号の送受信を行い、かつ、無線周波数信号をベースバンド信号に変換するとともにベースバンド信号を無線周波数信号に変換する処理を行う送受信部３２が設けられている。なお、アンテナ３１および送受信部３２が複数設けられていることもある。さらに、複数のチャネル制御カード３３、３４、３５と、チャネル制御カード３３、３４、３５に対するチャネル割り当て等を行う主制御部４０とが設けられている。送受信部３２、チャネル制御カード３３、３４、３５および主制御部４０は、バス５０で接続されている。
【００２９】
リソースとしてのチャネル制御カード３３、３４、３５は、それぞれ、ＣＰＵを搭載し、複数チャネルのチャネル制御を行う。従って、基地局のトラフィック量が全てのチャネル制御カード３３、３４、３５によって制御可能なチャネル数に相当する量を超えるような場合には、リソース不足になる。なお、その基地局に関する閾値は、例えば、全てのチャネル制御カード３３、３４、３５によって制御可能なチャネル数に相当する量と同じ、またはそれよりもやや低く余裕を持たせた量に設定される。
【００３０】
そして、リソース不足が通知された場合に、保守員は、チャネル制御カードの増設を行う。なお、一般に、チャネル制御カード３３、３４、３５には、自カードで発生した故障を検出する監視部が設けられているので（特許文献３参照）、トラフィック監視部４からの指示に応じて故障の発生を検出する機構を監視部に組み込むことは容易である。
【００３１】
以上、述べたように、この実施の形態によれば、ある基地局のリソースが不足したり故障したりした場合に、人間がその基地局に確認のために行くことなく、リソースの追加や、故障対応を行うことを決定することができる。
【００３２】
また、この実施の形態では、トラフィック監視部４が各基地局のトラフィック量を監視し、トラフィック量が予め決められた閾値を超えると基地局のリソースを追加したり、故障対応を行なったりしたが、本発明は、これに限定されるものではなく、例えば、Ｗ−ＣＤＭＡ（Ｗｉｄｅｂａｎｄ−Ｃｏｄｅ  Ｄｉｖｉｓｉｏｎ  Ｍｕｌｔｉｐｌｅ  Ａｃｃｅｓｓ）方式の携帯電話システムにおいて、ＰＲＡＣＨ（Ｐｈｙｓｉｃａｌ  Ｒａｎｄｏｍ  Ａｃｃｅｓｓ  Ｃｈａｎｎｅｌ）のプリアンブル等の受信数が予め決められた閾値を超えた場合に基地局のリソースを追加したり、故障対応を行なったりしてもよいし、ＰＲＡＣＨのプリアンブル等の受信数が閾値を大幅に下回った場合に、故障対応を行なったりしてもよい。
【産業上の利用可能性】
【００３３】
本発明は、移動局と基地局とを含む無線通信システムに好適に適用される。
【図面の簡単な説明】
【００３４】
【図１】本発明の実施の形態の一構成例を示すブロック図である。
【図２】本発明の実施の形態の動作を説明するフローチャートである。
【図３】基地局におけるリソースの一例を説明するためのブロック図である。
【符号の説明】
【００３５】
１−１、１−２、１−３、１−ｎ  携帯電話機
２−１、２−ｎ  基地局
３  無線ネットワーク制御局
４  トラフィック監視部
５  指示制御部
６  対応表示部
３１  アンテナ
３２  送受信部
３３、３４、３５  チャネル制御カード
４０  主制御部
５０  バス
【図１】
2005236379.tif 000003
【図２】
2005236379.tif 000004
【図３】
2005236379.tif 000005